(57)【要約】【課題】  外付け電話を接続可能であり、半導体化データアクセス装置を備えたファクシミリ装置において、公衆回線の閉結後の外付け電話の状態の検知と鳴動を簡単な回路構成で実現する。【解決手段】  外付け電話に対して読出し信号の出力と電圧の供給とを行う電源回路と、外付け電話を電源回路に接続している第１の状態と外付け電話を公衆回線に接続している第２の状態とを切替えるリレーと、電源回路とリレーとの間の信号線の信号レベルを検知する検知部と、第１の状態において、データ処理部が受信した信号の内容と検知部の検知結果に基づいて、電源回路へ読出し信号の出力指示を行う制御部を備える。【選択図】  図１
2010109460.tif 000002
【特許請求の範囲】
【請求項１】
外付け電話を接続可能とし、公衆回線を介して信号の送受信を行う半導体化データアクセス装置を備えたファクシミリ装置であって、
前記外付け電話に対して、呼び出し信号の出力と電力供給とを行う電源手段と、
前記外付け電話を前記電源手段に接続している第１状態と前記外付け電話を前記公衆回線に接続している第２状態とを切替えるリレーと、
前記電源手段と前記リレーとの間の信号線の状態を検知する検知手段と、
前記第１状態において、前記半導体化データアクセス装置が受信した信号と前記検知手段の検知結果に基づいて、前記電源手段へ前記呼び出し信号の出力指示を行う制御手段とを備えることを特徴とするファクシミリ装置。
【請求項２】
前記半導体化データアクセス装置は、前記公衆回線と前記外付け電話との間の信号線の信号レベルを検知する第２検知手段を備え、
前記リレーが前記第１状態にある場合に前記検知手段の検知結果に基づいて前記制御手段はオンフックかオフフックかの判定を行い、前記リレーが前記第２状態にある場合に前記第２検知手段の検知結果に基づいて前記制御手段はオンフックかオフフックかの判定を行うことを特徴とする請求項１に記載のファクシミリ装置。
【請求項３】
前記検知手段は、片方向フォトカプラを備えることを特徴とする請求項１または２に記載のファクシミリ装置。
【請求項４】
前記電源手段は、前記検知手段の検知に使用する電圧と前記呼び出し信号の出力に使用する電圧とを生成することを特徴とする請求項１乃至３のいずれか１項に記載のファクシミリ装置。
【発明の詳細な説明】
【技術分野】
【０００１】
本発明は、ファクシミリ装置に関し、半導体化されたデータアクセス装置を備えたファクシミリ装置に関するものである。
【背景技術】
【０００２】
ファクシミリ装置の小型化を目的として、電話回線とのインターフェース（Ｉ／Ｆ）部に、半導体化されたデータアクセス装置が用いられている。この半導体化されたデータアクセス装置は、半導体化ＤＡＡ（Ｄａｔａ  Ａｃｃｅｓｓ  Ａｒｒａｎｇｅｍｅｎｔ）あるいはＳｉＤＡＡと表現される。また、ファクシミリ装置を外付け電話を接続できる構成とし、ファクシミリ装置と外付け電話とが同一の電話回線を用いられる構成が採用されている。特許文献１には、この外付け電話のオンフック／オフフックを検出するために、図８に示すように外付け電話と電話回線との間にオフフック検知器２を設けて電流検出を行う構成が開示されている。また、特許文献２には、図９に示すように、ＳｉＤＡＡに設けられている電圧検出の機能を用いて、外付け電話のオンフック／オフフックに応じて回線電圧の変化を検出する構成が開示されている。
【特許文献１】特開平９−８９５０号公報
【特許文献２】特開２００５−５７６５９号公報
【発明の開示】
【発明が解決しようとする課題】
【０００３】
しかしながら、特許文献１に開示されている構成では、回線の１次側にオフフック検知器２を設けて、外付け電話のオンフック／オフフックの検出に回線電流を利用して行っている。この構成では、回線の接続状態により、回線電流の流れる方向が変わる。従って、双方向の電流検出を行う構成が必要であるため、電流検出回路が複雑となり、回路の小型化は困難である。
【０００４】
また、特許文献２に開示されている構成では、ファクシミリの送受信を行うためにＳｉＤＡＡと回線とを接続した後では、外付け電話のオンフック／オフフックの検出を行うことはできない。
【０００５】
本発明は、上記課題に鑑みてなされ、その目的は、ファクシミリの送受信を行っている状態でも、外付け電話のオンフック／オフフックの検出と外付け電話の鳴動を小規模な回路で実現するファクシミリ装置を提供することである。
【課題を解決するための手段】
【０００６】
上述の課題を解決し、目的を達成するために、本発明のファクシミリ装置は、外付け電話を接続可能であり、公衆回線を介して信号の送受信を行う半導体化データアクセス装置を備えたファクシミリ装置であって、前記外付け電話に対して、呼び出し信号の出力と電力供給とを行う電源手段と、前記外付け電話を前記電源手段に接続している第１状態と前記外付け電話を前記公衆回線に接続している第２状態とを切替えるリレーと、前記電源手段と前記リレーとの間の信号線の状態を検知する検知手段と、前記第１状態において、前記半導体化データアクセス装置が受信した信号と前記検知手段の検知結果に基づいて、前記電源手段へ前記呼び出し信号の出力指示を行う制御手段とを備えることを特徴とする。
【発明の効果】
【０００７】
以上のように、本発明により、半導体化データアクセス装置を備えたファクシミリ装置において、外付け電話のオンフック／オフフックの検出、外付け電話の呼び出し（鳴動）を行う回路を、複雑化を抑制し、低コストで実現できる。
【発明を実施するための最良の形態】
【０００８】
以下に、本発明に係る実施の形態について添付図面を参照して詳細に説明する。
【０００９】
［第１実施形態］
図１は、ファクシミリ装置１００の電気的構成を示したブロック図である。ＣＰＵ１０１は、ＲＯＭ１０２に格納されたプログラムにしたがって、ファクシミリ装置を制御する。ＣＰＵ１０１は、通信制御部１０４を用いたデータ通信、読取部１０９を用いた原稿の読取動作、記録部１０８を用いた記録媒体への記録動作、を制御する。ＲＯＭ１０２には、後述するフローチャートに示すプログラム、モデム部１０５の制御するプログラム、ナンバーディスプレイの表示等を行うプログラム等を格納している。
【００１０】
ＲＡＭ１０３は、ファクシミリ装置１００の各動作を実行するときに各種のデータを一時的に記憶するためのメモリであり、ＳｉＤＡＡ（半導体化データアクセス装置）１５１にて検出する回線電圧値や、判定値を保持する。回線電圧値は、電話回線１３０が開放されたとき、すなわちＳｉＤＡＡ１５１において、回線網を制御するための直流回路が開放された状態にて、ＳｉＤＡＡ１５１に供給される電圧値を記憶するメモリである。
【００１１】
また、回線電圧値は、電話回線１３０の開放されたときにＳｉＤＡＡ内の電圧検出手段により検出された電圧値を、検出した順に記憶する。
【００１２】
この回線電圧値は、受信モードによってその電圧値を検出していて、後述する外付電話１４１のオンフック／オフフック判定（別の表現をすると、フックアップ／フックダウン判定）処理に利用する。
【００１３】
判定値は、外付電話１４１のオンフック／オフフック判定の判定をするための基準値を記憶する。これはファクシミリ装置１００より先に接続された外付電話が回線を捕捉したときに有効になる。また、この検出は電話回線１３０が開放状態である間は定期的に更新される。一方、ファクシミリ装置１００が先に回線を捕捉した場合は、ＳｉＤＡＡ１５１の電圧検出結果でなく、電流検出部（フック検出部）１５３の検出結果に基づき、ＣＰＵ１０１がオンフック／オフフックの判定を行う。電流検出部１５３は、電源部（電源回路）１１３と外付け電話１４１の間に設けられている。
【００１４】
この他にＲＡＭ１０３は、通信履歴、画像データ及び印刷のためのビットイメージを記憶するためのメモリ領域を備えている。このＲＡＭ１０３は、例えば、ダイナミックＲＡＭ（ＤＲＡＭ）である。
【００１５】
受信された画像データは、ＲＡＭ１０３に記憶され、記録部１０８によって記録用紙に記録された後に、このメモリから消去される。また、読取部１０９によって読取られた画像データも、このＲＡＭ１０３に記憶される。
【００１６】
通信制御部１０４は、公衆回線１３１と接続するインターフェースであり、接続されたモデム部１０５は、画情報及び通信データを変調及び復調して伝送する。モデム部１０５は、通信制御部１０４を介して電話回線１３０を介してファクシミリ通信を行う。
【００１７】
読取部１０８は、フラットベット原稿台に置かれた原稿をスキャナを用いて読取りを行う。スキャナを駆動するモータを備えている。ファクシミリ送信が行われる場合には、読取った画像データは符号化される。また、ファクシミリ受信が行われる場合には、復号化されたデータが、記録部１０８にて記録紙に記録される。
【００１８】
記録部１０８は、インクジェット方式のプリンタを備え、記録紙を搬送する搬送モータと、記録ヘッドを搭載したキャリッジを移動させるキャリッジモータと、記録紙へインクを吐出する記録ヘッドを備えている。
【００１９】
アンプ部１０６は、スピーカ１０７を鳴動して、呼出音や警告音を出力する。センサ部１１０は、記録紙の有無の検出や、記録ヘッドの位置、カバーの開閉等の検出を行う。表示部１１１は、ファクシミリの操作や時刻の表示や通信中の回線状態およびエラー等の状態の表示を行い、カラーＬＣＤ等の表示デバイスで構成される。
【００２０】
操作部１１２は、ダイヤル番号やＵＲＬ等のアルファベットや記号等を入力するためのダイヤルキー。ファクシミリの送受信を行うための送信キー及び受信キー、オンフックとオフフックの状態の切替えを行うフックキー、機能設定を行うためのセレクトキー等のキーから構成される。
【００２１】
電源部１１３は、外部から入力した商用電源からＤＣ電圧を生成するスイッチング電源である。この電源部１１３は、ＣＰＵ１０１等のロジック回路に供給する電圧（例えば５ボルト）、記録ヘッドの駆動電圧、外付け電話のオフフック検出用の電圧（２４ボルト）、擬似ＣＩ用の電圧（マイナス１５０ボルト）等を生成する。このように、電源部１１３は、オフフック検出に使用する電圧、擬似ＣＩに使用される電圧を生成する。
【００２２】
外付け電話のオフフック検出用の電圧を出力する場合には、外付け電話がオフフックしたことを検出するために十分な電流が電源部１１３から供給される。なお、この電源部１１３から外付け電話へ、呼び出し信号（ＣＩ信号）を出力できる構成となっている。このときには、上述したマイナス１５０ボルトの矩形状のパルス信号が出力される。
【００２３】
図２（Ａ）、図２（Ｂ）は、ＳｉＤＡＡ１５１を備える通信制御部１０４の構成を説明する図である。ＳｉＤＡＡ１５１は、電圧検出部１６１、ＣＯＤＥＣ１６２、シリアルインターフェース部１６３を備えている。
【００２４】
Ｌ１，Ｌ２は電話回線１３０へ接続する端子であり、Ｔ１，Ｔ２は外付電話１４１へ接続する端子である。このＴ１，Ｔ２を介して外付け電話が接続可能である。
【００２５】
電圧検出部１６１は、電話回線１３０の電圧を検出する。リレー１５２が図２（Ｂ）に示すような状態であれば、電圧検出部１６１が電話回線１３０の電圧の変化により、外付け電話がオンフックかオフフックかを検出できる。
【００２６】
ＣＯＤＥＣ１６２は、ＦＡＸデータのＡ／Ｄ変換、Ｄ／Ａ変換を行う。このデータは、シリアルインターフェース部１６３とモデム１０５との間はシリアル通信によりデジタルデータが転送される。
【００２７】
通信制御部１０４は、更に、外付電話の電話回線との接続／非接続の切替えを行うリレー１５２、電源部１１３から電力供給をうけて、オフフック検出を行う電流検出部１５３を備えている。
【００２８】
電流検出部１５３は、一方向の電圧で動作するフォトカップラ（片方向フォトカプラ、センサ）を備え、図２（Ａ）に示すように、ＣＰＵ１０１がフォトカプラ１５３の出力状態（検知結果）を取得できる。別の表現をすれば、ＣＰＵ１０１は、フォトカプラ１５３が設けられている信号線の信号レベルについての情報を取得できる。外付け電話がオフフック状態において、電源部１１３から電流検出部１５３、リレー１５２、端子Ｔ１，外付け電話１４１、端子Ｔ２、リレー１５２という経路のロープが形成されて、外付け電話がオンフックかオフフックかを検出できる。例えば、このオフフック状態であれば、ＨＯＯＫ＿ＳＴＳの信号レベルは“Ｈ”レベル（ハイレベル）であり、オンフック状態であれば、ＨＯＯＫ＿ＳＴＳの信号レベルは“Ｌ”レベル（ロウレベル）とする。このように、電源回路と前記リレーとの間の信号の状態（信号レベル）に基づいて、ＣＰＵ１０１は外付け電話がオンフックかオフフックかを判定する。
【００２９】
絶縁部１５４を介して接続することにより、モデム部１０５は電話回線１３０と絶縁が取られている。絶縁部１５４は、高耐圧コンデンサが用いられる。図２（Ａ）、図２（Ｂ）にそれぞれ記載されている破線は、回線の１次側／２次側の境界を示す。図２に示すように、電流検出部１５３は回線の２次側に設けられているので、電流検出部１５３のコストを下げることが可能となる。
【００３０】
以上のような構成によりモデム部１０５は、通信制御部１０４を介して電話回線１３０と接続されファクシミリ通信を行う。
【００３１】
次に、図２（Ａ）と図２（Ｂ）を用いて、リレー１５２の説明を行う。図２（Ａ）と図２（Ｂ）はリレー１５２の状態のみ異なる。図２（Ａ）は、外付け電話と電話回線とは、非接続の状態（第１状態）である。この状態では、外付け電話と電源部１１３とが接続されている。図２（Ｂ）は、外付け電話と電話回線とは、接続の状態（第２状態）である。このようなリレー１５２の切替えはＣＰＵ１０１の制御に基づく。
【００３２】
図２（Ａ）に示す状態は、ファクシミリ装置が、受信モードがファクシミリ優先モード、あるいはファクシミリ専用モードの場合である。一方、図２（Ｂ）に示す状態は、ファクシミリ装置が、受信モードが電話優先モードの場合である。
【００３３】
図３を用いて、ファクシミリ装置の制御を説明する。Ｓ１０１にて設定された受信モードを判定する。受信モードがファックス優先モードであると判定すればＳ１０２へ進み、リレー１５２を図２（Ａ）に示す第１状態に設定してＡへ進む。受信モードがファックス専用モードであると判定すればＳ１０３へ進み、リレー１５２を図２（Ａ）に示す第１状態に設定してＢへ進む。受信モードが電話優先であると判定すればＳ１０４へ進み、リレー１５２を図２（Ｂ）に示す第２状態に設定してＣへ進む。
【００３４】
図４は、ファックス優先モードにおける制御フローを説明する。この制御フローでは、電話回線からの呼び出し信号（ＣＩ信号）を検出すれば（Ｓ１１１，Ｙ）、回線を閉結（捕捉）する（Ｓ１１２）。
【００３５】
そして、ＦＡＸ信号の検出を行い、ＦＡＸ信号を検出すれば（Ｓ１１３，Ｙ）、ファクシミリ通信を行う（Ｓ１１４）。ファクシミリ通信を完了すれば、回線を開放する（Ｓ１１５）。従って、ＦＡＸ信号を検出すれば、外付け電話は鳴動しない。なお、ＦＡＸ信号の検出は、例えば、送信側が送出するＣＮＧを検出する。
【００３６】
一方、ＦＡＸ信号を検出しなければ（Ｓ１１３，Ｎ）、外付け電話を鳴動させる（Ｓ１１６）。電源部１１３がＣＰＵ１０１から出力されたＣＩ指示（出力指示）を受けて、呼び出し信号を出力する。外付け電話は、この呼び出し信号を受けて鳴動する。この鳴動は、電話回線からの呼び出し信号に基づく鳴動と同じ鳴動である。そして、図７の“１”へ進む。
【００３７】
Ｓ１４１にて電流検出部１５３により外付け電話の状態を検知する。
【００３８】
電流検出部１５３がオンフック状態からオフフック状態に変化したことを検知すれば、ＣＰＵ１０１は、リレー１５２を第２状態にする。つまり、ＣＰＵ１０１は、外付け電話を電話回線に接続する制御を行う。この状態にて、外付け電話の操作者は呼び出しをかけてきた相手と通話できる。その後、Ｓ１４１に戻る。そして、電流検出部１５３がオフフック状態からオンフック状態に変化したことを検知すれば、ＣＰＵ１０１は、Ｓ１４３にてリレー１５２を第１状態に切替える。
【００３９】
一方、Ｓ１１１にて、電話回線からの呼び出し信号（ＣＩ信号）を検出しなければ（Ｎ）、図７の“１”へ進む。Ｓ１４１にて電流検出部１５３により外付け電話の状態を検知する。電流検出部１５３がオンフック状態からオフフック状態に変化したことを検知すれば、ＣＰＵ１０１は、リレー１５２を第２状態にする。つまり、ＣＰＵ１０１は、外付け電話を電話回線に接続する制御を行う。この状態にて、外付け電話の操作者は、相手に呼び出し（発信）を行い、通話することができる。その後、Ｓ１４１に戻る。そして、電流検出部１５３がオフフック状態からオンフック状態に変化したことを検知すれば、ＣＰＵ１０１は、Ｓ１４３にてリレー１５２を第１状態に切替える。
【００４０】
図５は、ファックス専用モードにおける制御フローを説明する。この制御フローでは、電話回線からの呼び出し信号を検出すれば（Ｓ１２１，Ｙ）、回線を閉結（捕捉）する（Ｓ１２２）。そして、ＦＡＸ信号の検出を行い、ＦＡＸ信号を検出すれば（Ｓ１２３，Ｙ）、ファクシミリ通信を行う（Ｓ１２４）。ファクシミリ通信を完了すれば、回線を開放する（Ｓ１２５）。一方、ＦＡＸ信号を検出しなければ（Ｓ１２３，Ｎ）、Ｓ１２５へ進み、回線を強制的に開放する。
【００４１】
図６は、電話優先モードにおける制御フローを説明する。この制御フローでは、電話回線からの呼び出しに応じて、オンフック状態からオフフック状態になったことを電圧検出部１６１にて判定する。Ｓ１３１にてオンフックからオフフックに変化すれば、Ｓ１３２にてＦＡＸ信号の検出を行う。Ｓ１３２にてＹであれば、リレー１５２を状態“第１”に切替え（Ｓ１３３）、ファクシミリ通信を行う（Ｓ１３４）。ファクシミリ通信終了後に、リレー状態を“第２”にする（Ｓ１３５）。
【００４２】
以上、ファクシミリ装置の動作モードについて説明した。上述した例では、装置は３つ（複数）のモードの中から選択して実行しているが、モードの数は３つに限定するものではない。
【図面の簡単な説明】
【００４３】
【図１】本発明の実施形態におけるファクシミリ装置の構成を説明する図である。
【図２】本実施形態における通信制御部を説明する図である。
【図３】本実施形態におけるファクシミリ装置の制御フローである。
【図４】本実施形態におけるファクシミリ装置の制御フローである。
【図５】本実施形態におけるファクシミリ装置の制御フローである。
【図６】本実施形態におけるファクシミリ装置の制御フローである。
【図７】本実施形態におけるファクシミリ装置の制御フローである。
【図８】従来の技術を説明する図である。
【図９】従来の技術を説明する図である。
【符号の説明】
【００４４】
１０１  ＣＰＵ
１０４  通信制御部
１０５  モデム
１５１  ＳｉＤＡＡ
１５２  リレー
【図１】
2010109460.tif 000003
【図２】
2010109460.tif 000004
【図３】
2010109460.tif 000005
【図４】
2010109460.tif 000006
【図５】
2010109460.tif 000007
【図６】
2010109460.tif 000008
【図７】
2010109460.tif 000009
【図８】
2010109460.tif 000010
【図９】
2010109460.tif 000011